(57)【要約】複数の信号が、共用スペクトル内で受信される。受信されたユーザ信号のサンプルが、受信ベクトルとして生成される（２２）。受信ベクトルが、複数のセグメントにセグメント化される（２４）。各セグメントに関して、１ユーザ／グループに関するシンボルを決定し、その１ユーザ／グループの寄与を受信ベクトルから除去することにより、各ユーザ、または各信号グループ（信号グループは、類似した受信電力を有する）に関するシンボルを連続的に決定する（２８）。各セグメントに対応する、決定されたシンボルが、データベクトルに組み立てられる。
2006519528.tif 000002
【特許請求の範囲】
【請求項１】
無線通信システムにおいて信号を受信するための方法であって、
共用スペクトル内で複数のユーザ信号を受信する工程と、
前記受信されたユーザ信号のサンプルを受信ベクトルとして生成する工程と、
前記受信ベクトルを複数のセグメントにセグメント化する工程と、
各セグメントに関して、１名のユーザに関するシンボルを決定し、該１名のユーザの寄与を前記受信ベクトルから除去することにより、各ユーザに関するシンボルを連続的に決定する工程と、
各セグメントに対応する、前記決定されたシンボルをデータベクトルに組み立てる工程と
を具えたことを特徴とする方法。
【請求項２】
各セグメントは、別のセグメントと重なり合う部分を有することを特徴とする請求項１記載の方法。
【請求項３】
前記重なり合う部分は、（インパルス応答長から１チップを引いた長さ）の少なくとも２倍であることを特徴とする請求項２記載の方法。
【請求項４】
決定されたシンボルを切り捨てた後、各セグメント、決定されたシンボルを格納する工程をさらに具えたことを特徴とする請求項２記載の方法。
【請求項５】
各ユーザに関するシンボルを前記連続的に決定する工程とは、
入力ベクトルを等化する工程と、
前記等化されたベクトルを逆拡散する工程と、
前記逆拡散された、等化されたベクトルに対してハード判定を行う工程と
を含むことを特徴とする請求項１記載の方法。
【請求項６】
前記入力ベクトルを前記等化する工程とは、高速フーリエ変換を使用することを特徴とする請求項５記載の方法。
【請求項７】
無線通信システムにおいて信号を受信するための方法であって、
共用スペクトル内で複数の信号を受信する工程と、
前記受信された信号のサンプルを受信ベクトルとして生成する工程と、
前記受信ベクトルを複数のセグメントにセグメント化する工程と、
前記受信された信号を受信電力レベル別にグループ化する工程と、
各セグメントに関して、１つのグループに関するシンボルを決定し、該１つのグループの寄与を前記受信ベクトルから除去することにより、各グループに関するシンボルを連続的に決定する工程と、
各セグメントに対応する、前記決定されたシンボルをデータベクトルに組み立てる工程と
を具えたことを特徴とする方法。
【請求項８】
各セグメントは、別のセグメントと重なり合う一部分を有することを特徴とする請求項７記載の方法。
【請求項９】
前記重なり合う一部分は、（インパルス応答長から１チップを引いた長さ）の少なくとも２倍であることを特徴とする請求項８記載の方法。
【請求項１０】
決定されたシンボルを切り捨てた後、各セグメント、決定されたシンボルを格納する工程をさらに具えたことを特徴とする請求項８記載の方法。
【請求項１１】
各ユーザに関するシンボルを前記連続的に決定する工程とは、
入力ベクトルを等化する工程と、
前記等化されたベクトルを逆拡散する工程と、
前記逆拡散された、等化されたベクトルに対してハード判定を行う工程と
を含むことを特徴とする請求項７記載の方法。
【請求項１２】
前記入力ベクトルを前記等化する工程とは、高速フーリエ変換を使用することを特徴とする請求項１１記載の方法。
【請求項１３】
無線送受信ユニット（ＷＴＲＵ）であって、
共用スペクトル内で複数のユーザ信号を受信するためのアンテナと、
前記受信されたユーザ信号のサンプルを受信ベクトルとして生成するサンプリングデバイスと、
前記受信ベクトルを複数のセグメントにセグメント化するセグメント化デバイスと、
１名のユーザに関するシンボルを決定し、該１名のユーザの寄与を前記受信ベクトルから除去することにより、各ユーザに関するシンボルを連続的に決定する等化−連続的干渉キャンセラと、
各セグメントに対応する、前記決定されたシンボルをデータベクトルに組み立てるセグメント再組み立てデバイスと
を含むことを特徴とする無線送受信ユニット。
【請求項１４】
各セグメントは、別のセグメントと重なり合う一部分を有することを特徴とする請求項１３記載の無線送受信ユニット。
【請求項１５】
前記重なり合う一部分は、（インパルス応答長から１チップを引いた長さ）の少なくとも２倍であることを特徴とする請求項１４記載の無線送受信ユニット。
【請求項１６】
決定されたシンボルを切り捨てた後、各セグメント、決定されたシンボルを格納するためのセグメント記憶デバイスをさらに具えたことを特徴とする請求項１４記載の無線送受信ユニット。
【請求項１７】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項１６記載の無線送受信ユニット。
【請求項１８】
前記入力ベクトルを前記等化することは、高速フーリエ変換を使用することを特徴とする請求項１７記載の無線送受信ユニット。
【請求項１９】
無線送受信ユニット（ＷＴＲＵ）であって、
共用スペクトル内で複数のユーザ信号を受信するための手段と、
前記受信されたユーザ信号のサンプルを受信ベクトルとして生成するための手段と、
前記受信ベクトルを複数のセグメントにセグメント化するための手段と、
１名のユーザに関するシンボルを決定し、該１名のユーザの寄与を前記受信ベクトルから除去することにより、各ユーザに関するシンボルを連続的に決定するための手段と、
各セグメントに対応する、前記決定されたシンボルをデータベクトルに組み立てるための手段と
を具えたことを特徴とする無線送受信ユニット。
【請求項２０】
各セグメントは、別のセグメントと重なり合う一部分を有することを特徴とする請求項１９記載の無線送受信ユニット。
【請求項２１】
前記重なり合う一部分は、（インパルス応答長から１チップを引いた長さ）の少なくとも２倍であることを特徴とする請求項２０記載の無線送受信ユニット。
【請求項２２】
決定されたシンボルを切り捨てた後、各セグメント、決定されたシンボルを格納するための手段をさらに具えたことを特徴とする請求項２０記載の無線送受信ユニット。
【請求項２３】
シンボルを連続的に決定するための手段は、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項２２記載の無線送受信ユニット。
【請求項２４】
前記入力ベクトルを前記等化することは、高速フーリエ変換を使用することを特徴とする請求項２３記載の無線送受信ユニット。
【請求項２５】
無線送受信ユニット（ＷＴＲＵ）であって、
共用スペクトル内で複数のユーザ信号を受信するためのアンテナと、
前記受信された信号のサンプルを受信ベクトルとして生成するサンプリングデバイスと、
前記受信ベクトルを複数のセグメントにセグメント化するセグメント化デバイスと、
類似した電力レベルを有する、受信された信号の各グループに関して、１つのグループに関するシンボルを決定し、該１つのグループの寄与を前記受信ベクトルから除去することにより、各グループに関するシンボルを連続的に決定する等化−連続的干渉キャンセラと、
各セグメントに対応する、前記決定されたシンボルをデータベクトルに組み立てるセグメント再組み立てデバイスと
を具えたことを特徴とする無線送受信ユニット。
【請求項２６】
各セグメントは、別のセグメントと重なり合う一部分を有することを特徴とする請求項２５記載の無線送受信ユニット。
【請求項２７】
前記重なり合う一部分は、（インパルス応答長から１チップを引いた長さ）の少なくとも２倍であることを特徴とする請求項２６記載の無線送受信ユニット。
【請求項２８】
決定されたシンボルを切り捨てた後、各セグメント、決定されたシンボルを格納するためのセグメント記憶デバイスをさらに具えたことを特徴とする請求項２６記載の無線送受信ユニット。
【請求項２９】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項２８記載の無線送受信ユニット。
【請求項３０】
前記入力ベクトルを前記等化することは、高速フーリエ変換を使用することを特徴とする請求項２９記載の無線送受信ユニット。
【請求項３１】
無線送受信ユニット（ＷＴＲＵ）であって、
共用スペクトル内で複数の信号を受信するための手段と、
前記受信された信号のサンプルを受信ベクトルとして生成するための手段と、
前記受信ベクトルを複数のセグメントにセグメント化するための手段と、
１つのグループに関するシンボルを決定し、該１つのグループの寄与を前記受信ベクトルから除去することにより、類似した電力レベルを有する、受信された信号の各グループに関するシンボルを連続的に決定するための手段と、
各セグメントに対応する、前記決定されたシンボルをデータベクトルに組み立てるための手段と
を具えたことを特徴とする無線送受信ユニット。
【請求項３２】
各セグメントは、別のセグメントと重なり合う一部分を有することを特徴とする請求項３１記載の無線送受信ユニット。
【請求項３３】
前記重なり合う一部分は、（インパルス応答長から１チップを引いた長さ）の少なくとも２倍であることを特徴とする請求項３２記載の無線送受信ユニット。
【請求項３４】
決定されたシンボルを切り捨てた後、各セグメント、決定されたシンボルを格納するための手段をさらに具えたことを特徴とする請求項３２記載の無線送受信ユニット。
【請求項３５】
シンボルを連続的に決定するための前記手段は、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項３４記載の無線送受信ユニット。
【請求項３６】
前記入力ベクトルを前記等化することは、高速フーリエ変換を使用することを特徴とする請求項３５に記載の無線送受信ユニット。
【請求項３７】
基地局であって、
共用スペクトル内で複数のユーザ信号を受信するためのアンテナと、
前記受信されたユーザ信号のサンプルを受信ベクトルとして生成するサンプリングデバイスと、
前記受信ベクトルを複数のセグメントにセグメント化するセグメント化デバイスと、
１名のユーザに関するシンボルを決定し、該１名のユーザの寄与を前記受信ベクトルから除去することにより、各ユーザに関するシンボルを連続的に決定する等化−連続的干渉キャンセラと、
各セグメントに対応する、前記決定されたシンボルをデータベクトルに組み立てるセグメント再組み立てデバイスと
を具えたことを特徴とする基地局。
【請求項３８】
各セグメントは、別のセグメントと重なり合う一部分を有することを特徴とする請求項３７記載の基地局。
【請求項３９】
前記重なり合う一部分は、（インパルス応答長から１チップを引いた長さ）の少なくとも２倍であることを特徴とする請求項３８に記載の基地局。
【請求項４０】
決定されたシンボルを切り捨てた後、各セグメント、決定されたシンボルを格納するためのセグメント記憶デバイスをさらに含むことを特徴とする請求項３８に記載の基地局。
【請求項４１】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項４０記載の基地局。
【請求項４２】
前記入力ベクトルを前記等化することは、高速フーリエ変換を使用することを特徴とする請求項４１に記載の基地局。
【請求項４３】
基地局であって、
共用スペクトル内で複数のユーザ信号を受信するための手段と、
前記受信されたユーザ信号のサンプルを受信ベクトルとして生成するための手段と、
前記受信ベクトルを複数のセグメントにセグメント化するための手段と、
１名のユーザに関するシンボルを決定し、該１名のユーザの寄与を前記受信ベクトルから除去することにより、各ユーザに関するシンボルを連続的に決定するための手段と、
各セグメントに対応する、前記決定されたシンボルをデータベクトルに組み立てるための手段と
を具えたことを特徴とする基地局。
【請求項４４】
各セグメントは、別のセグメントと重なり合う一部分を有することを特徴とする請求項４３記載の基地局。
【請求項４５】
前記重なり合う一部分は、（インパルス応答長から１チップを引いた長さ）の少なくとも２倍であることを特徴とする請求項４４記載の基地局。
【請求項４６】
決定されたシンボルを切り捨てた後、各セグメント、決定されたシンボルを格納するための手段をさらに具えたことを特徴とする請求項４４記載の基地局。
【請求項４７】
シンボルを連続的に決定するための前記手段は、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項４６記載の基地局。
【請求項４８】
前記入力ベクトルを前記等化することは、高速フーリエ変換を使用することを特徴とする請求項４７記載の基地局。
【請求項４９】
基地局であって、
共用スペクトル内で複数のユーザ信号を受信するためのアンテナと、
前記受信された信号のサンプルを受信ベクトルとして生成するサンプリングデバイスと、
前記受信ベクトルを複数のセグメントにセグメント化するセグメント化デバイスと、
類似した電力レベルを有する、受信された信号の各グループに関して、１つのグループに関するシンボルを決定し、該１つのグループの寄与を前記受信ベクトルから除去することにより、各グループに関するシンボルを連続的に決定する等化−連続的干渉キャンセラと、
各セグメントに対応する、前記決定されたシンボルをデータベクトルに組み立てるセグメント再組み立てデバイスと
を具えたことを特徴とする基地局。
【請求項５０】
各セグメントは、別のセグメントと重なり合う一部分を有することを特徴とする請求項４９記載の基地局。
【請求項５１】
前記重なり合う一部分は、（インパルス応答長から１チップを引いた長さ）の少なくとも２倍であることを特徴とする請求項５０記載の基地局。
【請求項５２】
決定されたシンボルを切り捨てた後、各セグメント、決定されたシンボルを格納するためのセグメント記憶デバイスをさらに具えたことを特徴とする請求項５０記載の基地局。
【請求項５３】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項５１記載の基地局。
【請求項５４】
前記入力ベクトルを前記等化することは、高速フーリエ変換を使用することを特徴とする請求項５３記載の基地局。
【請求項５５】
基地局であって、
共用スペクトル内で複数の信号を受信するための手段と、
前記受信された信号のサンプルを受信ベクトルとして生成するための手段と、
前記受信ベクトルを複数のセグメントにセグメント化するための手段と、
１つのグループに関するシンボルを決定し、該１つのグループの寄与を前記受信ベクトルから除去することにより、類似した電力レベルを有する、受信された信号の各グループに関するシンボルを連続的に決定するための手段と、
各セグメントに対応する、前記決定されたシンボルをデータベクトルに組み立てるための手段と
を具えたことを特徴とする基地局。
【請求項５６】
各セグメントは、別のセグメントと重なり合う一部分を有することを特徴とすることを特徴とする請求項５５記載の基地局。
【請求項５７】
前記重なり合う一部分は、（インパルス応答長から１チップを引いた長さ）の少なくとも２倍であることを特徴とする請求項５６記載の基地局。
【請求項５８】
決定されたシンボルを切り捨てた後、各セグメント、決定されたシンボルを格納するための手段をさらに具えたことを特徴とする請求項５６記載の基地局。
【請求項５９】
シンボルを連続的に決定するための前記手段は、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項５８記載の基地局。
【請求項６０】
前記入力ベクトルを前記等化することは、高速フーリエ変換を使用することを特徴とする請求項５９記載の基地局。
【請求項６１】
集積回路であって、
複数のユーザ信号の受信ベクトルを複数のセグメントにセグメント化するセグメント化デバイスと、
１名のユーザに関するシンボルを決定し、該１名のユーザの寄与を前記受信ベクトルから除去することにより、各ユーザに関するシンボルを連続的に決定する等化−連続的干渉キャンセラと、
各セグメントに対応する、前記決定されたシンボルをデータベクトルに組み立てるセグメント再組み立てデバイスと
を具えたことを特徴とする集積回路。
【請求項６２】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項６１記載の集積回路。
【請求項６３】
集積回路であって、
複数の信号の受信ベクトルを複数のセグメントにセグメント化するセグメント化デバイスと、
類似した電力レベルを有する、受信された信号の各グループに関して、１つのグループに関するシンボルを決定し、該１つのグループの寄与を前記受信ベクトルから除去することにより、各グループに関するシンボルを連続的に決定する等化−連続的干渉キャンセラと、
各セグメントに対応する、前記決定されたシンボルをデータベクトルに組み立てるセグメント再組み立てデバイスと
を具えたことを特徴とする集積回路。
【請求項６４】
前記等化−連続的干渉キャンセラは、
入力ベクトルを等化する等化器と、
前記等化されたベクトルを逆拡散する逆拡散器と、
前記逆拡散された、等化されたベクトルに対してハード判定を行うハード判定デバイスと
を含むことを特徴とする請求項６３記載の集積回路。
【発明の詳細な説明】
【技術分野】
【０００１】
本発明は、一般に、無線通信システムに関し、詳細には、無線通信システムにおける複数のユーザ信号の検出、具体的には、等化および連続干渉消去を使用するマルチユーザ検出に関する。
【背景技術】
【０００２】
通常の無線通信システムは、ＷＴＲＵ群（無線送受信ユニット群）と通信する基地局を含む。各基地局は、基地局の動作区域に入っているＷＴＲＵ群と通信する、関連する動作区域を有する。ＣＤＭＡ（符号分割多重アクセス）などの一部の通信システムでは、複数の通信が、同一の周波数スペクトルを介して送信される。それらの通信は、通常、通信の符号によって区別される。
【発明の開示】
【発明が解決しようとする課題】
【０００３】
複数の通信が、同一周波数スペクトル内で同時に送信されることが可能であるため、そのようなシステムにおける受信機は、複数の通信を見分けなければならない。そのような信号を検出する１つの手法が、照合フィルタ処理である。照合フィルタ処理では、単一の符号とともに送信された通信が検出される。その他の通信は、干渉として扱われる。複数の符号を検出するのに、それぞれの数の照合フィルタが使用される。それらの信号検出器は、複雑度が低いが、ＭＡＩ（多重アクセス干渉）およびＩＳＩ（シンボル間干渉）を被る可能性がある。
【０００４】
ＰＩＣ（並列干渉キャンセラ）やＳＩＣ（連続干渉キャンセラ）などの、他の信号検出器は、他のユーザからの干渉、およびＩＳＩを消去しようと試みる。それらの受信機は、複雑度が増すという犠牲を払って、より良好なパフォーマンスを示す傾向がある。他の信号検出器は、複数の通信を合同で検出し、これは、合同検出と呼ばれる。一部の合同検出器は、ＭＭＳＥ（最小平均２乗誤差）検出を実行するコレスキ（Ｃｈｏｌｅｓｋｙ）分解、およびＺＦ−ＢＬＥ群（強制ゼロ化ブロック等化器群（ｚｅｒｏ−ｆｏｒｃｉｎｇ  ｂｌｏｃｋ  ｅｑｕａｌｉｚｅｒｓ））を使用する。それらの検出器は、向上したパフォーマンスを示すが、複雑度が高い傾向がある。
【０００５】
したがって、マルチユーザ検出の代替の手法を有することが望ましい。
【課題を解決するための手段】
【０００６】
複数の信号が、共用スペクトル内で受信される。受信されたユーザ信号のサンプルが、受信ベクトルとして生成される。受信ベクトルは、複数のセグメントにセグメント化される。各セグメントに関して、１ユーザ／グループに関するシンボルを決定し、その１ユーザ／グループの寄与を受信ベクトルから除去することにより、各ユーザ、または各信号グループ（信号グループは、同一のチャネル応答を有する）に関するシンボルを連続的に決定する。各ユーザ／グループに関するシンボルは、チャネル等化の後、逆拡散を行うことなどによって決定される。各セグメントに対応する、決定されたシンボルは、データベクトルに組み立てられる。
【発明を実施するための最良の形態】
【０００７】
好ましい諸実施形態の好ましいインプリメンテーションは、３ＧＰＰ（第３世代パートナーシッププロジェクト）Ｗ−ＣＤＭＡ（広帯域符号分割多重アクセス）通信システムのＦＤＤ（周波数分割二重）モードにおいてである。ただし、好ましい諸実施形態は、様々な無線通信システムに適用することができる。
【０００８】
好ましい諸実施形態は、ＷＴＲＵ（無線送受信ユニット）または基地局において利用することができる。ＷＴＲＵには、ユーザ機器、移動局、固定加入者ユニットまたは移動加入者ユニット、ポケットベル、または無線環境において動作することができる他の任意のタイプのデバイスが含まれるが、以上には限定されない。「基地局」には、基地局、ノードＢ、サイトコントローラ、アクセスポイント、または無線環境における他のインタフェースデバイスが含まれるが、以上には限定されない。さらに、好ましい諸実施形態は、互いに通信するＷＴＲＵ群にも適用することができる。
【０００９】
図１は、好ましいＥＱ−ＳＩＣ（等化／連続干渉消去）受信機の簡略図である。好ましくは、アンテナ２０を除き、図１に示したコンポーネントのほとんどは、単一の集積回路として実装される。代替として、個々のコンポーネントは、別々のコンポーネント、または集積回路および／または別々のコンポーネントの混合であることも可能である。
【００１０】
複数の通信が、受信機のアンテナ２０、またはアンテナアレイによって受信される。単一、または複数のＡＤＣ（アナログ−デジタル変換器）などのサンプリングデバイス２２が、受信された信号をサンプリングして、受信ベクトルｒを生成する。
【００１１】
受信ベクトルは、セグメント化デバイス２４によって処理されて、受信ベクトルｒのセグメントｒ１．．．ｒｓが生成される。図２は、好ましいセグメント化スキームの図であるが、その他のスキームを使用してもよい。図２に示すとおり、受信ベクトルｒは、複数のセグメントｒ１．．．ｒｓに分けられる。好ましくは、セグメントは、図示するとおり、重なり合う。重なり合いの量は、好ましくは、インパルス応答から１チップを引いた長さの２倍、２＊（Ｗ−１）である。Ｗは、すべてのユーザのすべてのチャネルにわたる、チャネルインパルス応答の最大長である。この重なり合いにより、セグメントが有限の長さを有していても、すべてのチップの等化が容易になる。所与のセグメントに関して、そのセグメントに関する対象の部分に寄与するチップのすべてが、等化される。例示すると、ｒ２という対象の部分が、破線によって境界をつけられている。その部分の最後のチップは、Ｗ−１チップだけ、次のセグメントの中にまで延びる。反対に、対象の領域内の最初のチップに最も離れて先行して、その領域の中にまで延びているチップは、最初のチップにＷ−１チップ先行している。したがって、対象の部分に寄与し、その部分に入っていないすべてのチップを等化して、それらのチップの寄与を対象の部分から有効に取り除くことができる。
【００１２】
重なり合いは、インパルス応答のおよそ２倍であるように示しているが、より大きい重なり合いを使用してもよい。より大きい重なり合いは、厳密な受信機インプリメンテーションに基づいて有用である可能性がある。一実施形態では、ＥＱ−ＳＩＣデバイスは、ＰＦＡ（素因数アルゴリズム（ｐｒｉｍｅ  ｆａｃｔｏｒ  ａｌｇｏｒｉｔｈｍ））高速フーリエ変換（ＦＦＴ）ベースのインプリメンテーションを使用することができる。重なり合いは、所望の最適なＰＦＡ長またはＦＦＴ長に達するように拡張することができる。他のインプリメンテーションでは、最適な重なり合わない部分は、処理される信号に基づいて異なる可能性がある。例示すると、３ＧＰＰ  Ｗ−ＣＤＭＡのＴＤＤ（時間分割２重）モードでは、バーストタイプに基づき、データフィールドの長さが、異なる可能性がある。その結果、１つのバーストに関する最適セグメント長は、別のバーストに関して最適でない可能性がある。１つの一様なハードウェア構成を利用するため、セグメントに関する固定サイズを実施することができる。異なる重なり合いを使用して、異なるバースト長を実施することができる。
【００１３】
チャネル推定デバイス２６が、受信されたユーザ信号のそれぞれに関するチャネル応答を推定する。通常、チャネル応答は、パイロット符号またはミッドアンブルシーケンスなどの基準信号を使用して推定されるが、他の技術を使用してもよい。推定されたチャネル応答を図１に、チャネル応答行列Ｈとして示す。
【００１４】
図３は、好ましいＥＱ−ＳＩＣデバイス２８の図である。１つのインプリメンテーションでは、ユーザ信号のすべてに、その信号の受信電力などによってランクが付けられる。最高受信電力を有するユーザに関して、受信ベクトルｒｉが、そのユーザ（ユーザ１）に関連するチャネル応答を使用して、等化器３４１によって等化され、拡散データベクトルｓｉ１が生成される。そのユーザ信号によって使用された符号を使用して、逆拡散器（ｄｅｓｐｒｅａｄｅｒ）３６１によって、そのユーザデータのソフトシンボルが生成される。ハード判定（ｈａｒｄ  ｄｅｃｉｓｉｏｎ）デバイス３８１によって、そのユーザのソフトシンボルに対してハード判定が実行されて、ハードシンボルベクトルｄｉ１が生成される。検出されたハードシンボルを使用して、拡散データベクトルに対するユーザ１の寄与ｒｉ１が決定される。ユーザ１寄与が、減算器４２１によってセグメントから引かれて、ユーザ１の寄与が除去された新たなセグメントｘｉ１が生成される。同様の処理が、２番目に高い受信電力レベルを有する第２のユーザ（ユーザ２）に対して実行される。ユーザ２のハードシンボルｄｉ２が、等化器３４２、逆拡散器３６２、およびハード判定デバイス３８２を使用して検出される。ｘｉ１に対するユーザ２の寄与が、干渉構築デバイス４０２および減算器４２２を使用して除去される。この手続きは、最終のユーザＫまで繰り返される。第Ｋ番のユーザの場合、ハードシンボルｄｉＫだけが、等化器３４Ｋ、逆拡散器３６Ｋ、およびハード判定デバイス３８Ｋを使用して決定される。
【００１５】
ＥＱ−ＳＩＣ受信機が、基地局において使用される場合、通常、ユーザ信号のすべてからのハードシンボルが回復される。ただし、ＷＴＲＵにおいて、ＷＴＲＵ  ＥＱ−ＳＩＣ受信機は、対象となる１名のユーザの信号だけを有する可能性がある。その結果、対象となるそのユーザの信号のハードシンボルが回復された後、各ユーザの連続的な処理が停止される可能性がある。
【００１６】
以上の説明は、各ユーザの信号を別々に検出したが、複数のユーザの信号を合同で回復することもできる。そのようなインプリメンテーションでは、ユーザらは、受信信号電力別にグループ化される。連続的な処理は、各グループに対して順に実行される。例示すると、第１のグループのデータが検出され、その後、受信セグメントから消去され、その後に、第２のグループが続く。
【００１７】
セグメント内の各ユーザに関するデータが検出された後、ｄｉなどのデータベクトルが、セグメント記憶デバイス３０によって格納される。記憶サイズを小さくするため、好ましくは、セグメントは、対象でない諸部分を除去するように切り捨てられ、対象のセグメントの部分だけが残される。セグメント再組み立てデバイス３２が、通常、各セグメントに関して各ユーザに関するデータを順次に（ｓｅｒｉａｌｌｙ）結合することにより、すべてのセグメントからのデータを有するデータベクトルｄを生成する。例示すると、セグメント１に関するユーザ１からのデータｄ１１が、セグメント２に関するユーザ１からのデータｄ１２と順次に結合される。
【００１８】
図４は、ＥＱ−ＳＩＣ受信機に関する流れ図である。最初、受信ベクトルｒが生成される、ステップ５０。すべてのユーザに関してチャネル推定が実行される、ステップ５２。受信ベクトルが、セグメント化される、ｒ１．．．ｒｎ、ステップ５４。各セグメントが処理される、ステップ５６。第ｉ番のセグメントに関して、最高受信電力を有するユーザが決定される、ステップ５８。受信ベクトルが、そのユーザに関して等化される、ステップ６０。結果の拡散ベクトルが、ユーザの符号を使用して逆拡散される、ステップ６２。逆拡散されたデータに対してハード判定が実行される、ステップ６４。受信ベクトルに対するそのユーザの寄与が決定される、ステップ６６。そのユーザの寄与が、受信ベクトルから引かれる、ステップ６８。減算が行われた受信ベクトルを、ステップ６０〜６８における受信ベクトルとして使用して、ステップ６０〜６８を繰り返すことにより、２番目に高い受信電力ユーザが処理される、ステップ７０。そのセグメントに関する諸結果を格納し、残りの各セグメントに関してステップ５８〜７０を繰り返す、ステップ７２。格納されたセグメントをデータベクトルｄに組み立てる、ステップ７４。チャネル推定が行われる、または更新されるレートは、異なるインプリメンテーションの間で異なる可能性がある。というのは、更新のレートは、無線チャネルの時とともに変化する性質に依存するからである。
【００１９】
好ましくは、ＥＱ−ＳＩＣデバイス２８の各ステージに関する等化は、ＦＦＴを使用して実施されるが、他のインプリメンテーションを使用してもよい。１つの可能なインプリメンテーションは、次のとおりである。各受信セグメントを数式１に従って信号モデルと見なすことができる。 
ｒｉ＝Ｈｓ＋ｎ                                        数式１
Ｈは、チャネル応答行列である。ｎは、雑音ベクトルである。ｓは、数式２による、そのユーザまたはグループに関する拡散符号Ｃと、そのユーザまたはグループに関するデータベクトルｄとの畳み込みである、拡散データベクトルである。 
ｓ＝Ｃｄ                                              数式２
【００２０】
数式３を解く２つの手法は、等化ステージを使用し、その後に、逆拡散ステージを使用する。各受信ベクトルセグメントｒｉが、等化される、ステップ５４。１つの等化手法は、ＭＭＳＥ（最小平均２乗誤差）解を使用する。各拡張セグメントに関するＭＭＳＥ解は、数式４Ａのとおりである。
【００２１】
【数１】
2006519528.tif 000003
【００２２】
σ２は、雑音分散であり、Ｉｓは、拡張行列に関する恒等行列である。（・）Ｈは、複素共役転置演算（ｃｏｍｐｌｅｘ  ｃｏｎｊｕｇａｔｅ  ｔｒａｎｓｐｏｓｅ  ｏｐｅｒａｔｉｏｎ）またはエルミート（Ｈｅｒｍｅｔｉａｎ）演算である。強制ゼロ（ＺＦ）解は、数式４Ｂのとおりである。
【００２３】
【数２】
2006519528.tif 000004
【００２４】
代替として、数式４Ａまたは数式４Ｂは、数式５として書かれる。
【００２５】
【数３】
2006519528.tif 000005
【００２６】
Ｒｓは、ＭＭＳＥに対応する数式６Ａに従って定義される。 
Ｒｓ＝ＨｓＨＨｓ＋σ２Ｉｓ                        数式６Ａ
代替として、ＺＦに関するＲｓは、数式６Ｂのとおりである。 
Ｒｓ＝ＨｓＨＨｓ                                数式６Ｂ
【００２７】
数式５を解く１つの好ましい手法は、数式７および数式８によるＦＦＴ（高速フーリエ変換）によるものであり、数式５を解く代替の手法は、コレスキ分解である。 
Ｒｓ＝Ｄｚ−１ΛＤｚ＝（１／Ｐ）Ｄｚ＊ΛＤｚ        数式７
Ｒｓ−１＝Ｄｚ−１ΛＤｚ＝（１／Ｐ）Ｄｚ＊Λ＊Ｄｚ    数式８
Ｄｚは、ＺポイントＦＦＴ行列であり、Λは、Ｒｓ行列の循環近似（ｃｉｒｃｕｌａｎｔ  ａｐｐｒｏｘｉｍａｔｉｏｎ）の第１列のＦＴＴである項（ｄｉａｇｏｎａｌｓ）を有する対角行列である。循環近似は、Ｒｓ行列の任意の列を使用して実行することができる。好ましくは、最も多い要素を有する完全な列を使用する。
【００２８】
周波数領域において、ＦＦＴ解は、数式９による。
【００２９】
【数４】
2006519528.tif 000006
【００３０】
【数５】
2006519528.tif 000007
【００３１】
は、クロネッカー積である。Ｍは、サンプリングレートである。Ｍ＝１は、チップレートサンプリングであり、Ｍ＝２は、チップレートサンプリングの２倍である。
【００３２】
拡散データベクトルのフーリエ変換
【００３３】
【数６】
2006519528.tif 000008
【００３４】
が算出された後、逆フーリエ変換をとることによって、拡散データベクトル
【００３５】
【数７】
2006519528.tif 000009
【００３６】
が算出される。
【図面の簡単な説明】
【００３７】
【図１】ＥＱ−ＳＩＣ（等化連続干渉キャンセラ）受信機を示す簡略図である。
【図２】受信ベクトルｒの好ましいセグメント化を示す図である。
【図３】ＥＱ−ＳＩＣデバイスを示す簡略図である。
【図４】ＥＱ−ＳＩＣ受信機に関する流れ図である。
【図１】
2006519528.tif 000010
【図２】
2006519528.tif 000011
【図３】
2006519528.tif 000012
【図４】
2006519528.tif 000013
【国際調査報告】
2006519528.tif 000014
2006519528.tif 000015